(57)【要約】【課題】不使用時の弾性バンドが邪魔にならないようにした運動装置における弾性バンドの収納構造を提供する。【解決手段】使用者１００が弾性力に抗して力を加えることで運動するための運動装置１における弾性バンド５０を収納するための構造であって、弾性バンド５０は、基端部５０ｂが運動装置１に係止され、弛まない程度の張力を与えた状態で、先端側を掛け止め可能な留め部６５ｂが運動装置１に設けられている。不使用時の弾性バンド５０は、運動装置１自体に張った状態で掛け止められるようになる。【選択図】図１０
2009247450.tif 000002
【特許請求の範囲】
【請求項１】
使用者が弾性力に抗して力を加えることで運動するための運動装置における弾性バンドを収納するための構造であって、
前記弾性バンドは、基端部が運動装置に係止され、弛まない程度の張力を与えた状態で、先端側を掛け止め可能な留め部が運動装置に設けられていることを特徴とする運動装置における弾性バンドの収納構造。
【請求項２】
前記運動装置は、使用者が着座する座部と、この座部を揺動運動させる駆動部と、この駆動部を支持する脚部とを備えた揺動型運動装置であり、前記弾性バンドは、基端部が座部に係止されて、座部に着座した使用者が先端部を手で握るものであり、前記座部の前部と後部には、搬送時の持ち手部がそれぞれ形成され、この持ち手部の少なくとも一方に、弾性バンドの先端側を掛け止め可能な留め部が設けられていることを特徴とする請求項１に記載の運動装置における弾性バンドの収納構造。
【請求項３】
前記運動装置は、使用者が着座する座部と、この座部を揺動運動させる駆動部と、この駆動部を支持する脚部とを備えた揺動型運動装置であり、前記弾性バンドは、基端部が脚部に係止されて、座部に着座した使用者が先端部を手で握るものであり、前記座部の前部と後部には、搬送時の持ち手部がそれぞれ形成され、この持ち手部の少なくとも一方に、弾性バンドの先端側を掛け止め可能な留め部が設けられていることを特徴とする請求項１に記載の運動装置における弾性バンドの収納構造。
【請求項４】
前記持ち手部は、開口部であり、前記留め部は、前記開口部の周縁部から一体的に突出させた突起で形成されていることを特徴とする請求項２または３に記載の運動装置における弾性バンドの収納構造。
【請求項５】
前記運動装置は、使用者が着座する座部と、この座部を揺動運動させる駆動部と、この駆動部を支持する脚部とを備えた揺動型運動装置であり、前記弾性バンドは、基端部が脚部に係止されて、座部に着座した使用者が先端部を手で握るものであり、前記脚部には、弾性バンドの先端側を掛け止め可能な留め部が設けられていることを特徴とする請求項１に記載の運動装置における弾性バンドの収納構造。
【請求項６】
前記運動装置は、使用者が乗るターンテーブルと、このターンテーブルを支持する脚部とを備えた運動装置であり、前記弾性バンドは、基端部が脚部に係止されて、ターンテーブルに乗った使用者が先端部を手で握るものであり、前記脚部には、弾性バンドの先端側を掛け止め可能な留め部が設けられていることを特徴とする請求項１に記載の運動装置における弾性バンドの収納構造。
【発明の詳細な説明】
【技術分野】
【０００１】
本発明は、運動装置における弾性バンドの収納構造に関する。
【背景技術】
【０００２】
従来、使用者が着座する座部と、この座部を揺動運動させる駆動部と、この駆動部を支持する脚部とを備えた揺動型運動装置がある（特許文献１参照）。
【０００３】
この運動装置は、鞍状の座部に跨って着座した使用者が座部の前後左右の揺動に応じて、バランスを保つように下半身を動かすことで、主に、使用者の下半身の筋肉を鍛えるためのものである。このような運動装置において、使用者の下半身の筋肉と同時に、上半身の筋肉も鍛えたいという要望がある。
【０００４】
そのため、座部に着座した使用者が先端部（グリップ等）を手で握り可能な弾性バンド（ストレッチバンド）が設けられ、この弾性バンドの基端部は、座部若しくは脚部の係止部で係止されている運動装置が考えられる。この運動装置では、使用者が座部の前後左右の揺動に応じて、バランスを保つように下半身を動かすと同時に、弾性バンドを手で引っ張りながら上半身も動かすようになるから、上半身の筋肉も鍛えることができるようになる。この弾性バンドが乗馬用の手綱と相違するのは、大きな伸縮性を有する点である。
【特許文献１】実用新案登録第３１２１３７８号公報
【発明の開示】
【発明が解決しようとする課題】
【０００５】
前記のような弾性バンドを設けた運動装置において、弾性バンドの不使用時に、脚部等の上に弾性バンドを単に放置しておくと、弾性バンドを使用しない運動を運動装置でする時に、足を引っかける等して邪魔になるという問題がある。また、運動装置を別の場所に搬送する時に、脚部等の上から落下する等して邪魔になるという問題がある。
【０００６】
本発明は、前記問題を解消するためになされたもので、不使用時の弾性バンドが邪魔にならないようにした運動装置における弾性バンドの収納構造を提供することを目的とするものである。
【課題を解決するための手段】
【０００７】
前記課題を解決するために、本発明は、使用者が弾性力に抗して力を加えることで運動するための運動装置における弾性バンドを収納するための構造であって、前記弾性バンドは、基端部が運動装置に係止され、弛まない程度の張力を与えた状態で、先端側を掛け止め可能な留め部が運動装置に設けられていることを特徴とする運動装置における弾性バンドの収納構造を提供するものである。
【０００８】
請求項２のように、請求項１において、前記運動装置は、使用者が着座する座部と、この座部を揺動運動させる駆動部と、この駆動部を支持する脚部とを備えた揺動型運動装置であり、前記弾性バンドは、基端部が座部に係止されて、座部に着座した使用者が先端部を手で握るものであり、前記座部の前部と後部には、搬送時の持ち手部がそれぞれ形成され、この持ち手部の少なくとも一方に、弾性バンドの先端側を掛け止め可能な留め部が設けられていることが好ましい。
【０００９】
請求項３のように、請求項１において、前記運動装置は、使用者が着座する座部と、この座部を揺動運動させる駆動部と、この駆動部を支持する脚部とを備えた揺動型運動装置であり、前記弾性バンドは、基端部が脚部に係止されて、座部に着座した使用者が先端部を手で握るものであり、前記座部の前部と後部には、搬送時の持ち手部がそれぞれ形成され、この持ち手部の少なくとも一方に、弾性バンドの先端側を掛け止め可能な留め部が設けられていることが好ましい。
【００１０】
請求項４のように、請求項２または３において、前記持ち手部は、開口部であり、前記留め部は、前記開口部の周縁部から一体的に突出させた突起で形成されていることが好ましい。
【００１１】
請求項５のように、請求項１において、前記運動装置は、使用者が着座する座部と、この座部を揺動運動させる駆動部と、この駆動部を支持する脚部とを備えた揺動型運動装置であり、前記弾性バンドは、基端部が脚部に係止されて、座部に着座した使用者が先端部を手で握るものであり、前記脚部には、弾性バンドの先端側を掛け止め可能な留め部が設けられていることが好ましい。
【００１２】
請求項６のように、請求項１において、前記運動装置は、使用者が乗るターンテーブルと、このターンテーブルを支持する脚部とを備えた運動装置であり、前記弾性バンドは、基端部が脚部に係止されて、ターンテーブルに乗った使用者が先端部を手で握るものであり、前記脚部には、弾性バンドの先端側を掛け止め可能な留め部が設けられていることが好ましい。
【発明の効果】
【００１３】
本発明によれば、基端部を運動装置に係止した弾性バンドの先端側を、弾性バンドが弛まない程度の張力を与えた状態で、掛け止め可能な留め部を運動装置に設けたから、不使用時の弾性バンドは、運動装置自体に張った状態で掛け止められるようになる。したがって、弾性バンドを使用しない運動を運動装置でする時に、足を引っかける等することが無くなる。また、運動装置を別の場所に搬送する時に、落下する等することが無くなる。このように、不使用時の弾性バンドが邪魔にならなくなる。
【００１４】
請求項２によれば、使用者が着座する座部を揺動運動させ、座部に弾性バンドの基端部を係止し、使用者が先端部を手で握る揺動型運動装置においては、座部の前部と後部に形成した搬送時の持ち手部の少なくとも一方に設けた留め部に、弾性バンドの先端側を掛け止めることができる。
【００１５】
請求項３によれば、使用者が着座する座部を揺動運動させ、脚部に弾性バンドの基端部を係止し、使用者が先端部を手で握る揺動型運動装置においては、座部の前部と後部に形成した搬送時の持ち手部の少なくとも一方に設けた留め部に、弾性バンドの先端側を掛け止めることができる。
【００１６】
請求項４によれば、持ち手部が開口部である場合、留め部は開口部の周縁部から一体的に突出させた突起で形成すれば、開口部に突起を形成するだけで、留め部を設けることができる。
【００１７】
請求項５によれば、使用者が着座する座部を揺動運動させ、脚部に弾性バンドの基端部を係止し、使用者が先端部を手で握る揺動型運動装置においては、脚部に設けた留め部に、弾性バンドの先端側を掛け止めることができる。なお、留め部は、弾性バンドの基端部を脚部に係止する係止部と兼用することが可能である。
【００１８】
請求項６によれば、使用者が乗ってターンテーブルを回転運動させ、脚部に弾性バンドの基端部を係止し、使用者が先端部を手で握る運動装置においては、脚部に設けた留め部に、弾性バンドの先端側を掛け止めることができる。なお、留め部は、弾性バンドの基端部を脚部に係止する係止部と兼用することが可能である。
【発明を実施するための最良の形態】
【００１９】
以下、本発明を実施するための最良の形態について、図面を参照しながら詳細に説明する。
【００２０】
図５は、本発明の実施形態に係る揺動型運動装置１の全体構成を示す側断面図である。この揺動型運動装置１は、馬の鞍を模した形状で使用者が着座（騎乗）する座部２を備えている。また、この座部２内に設けられ、座部２を揺動させる駆動手段である駆動装置３と、座部２および駆動装置３を支える脚部３０を備えている。
【００２１】
図６は、駆動装置３を拡大して示す側面図であり、図７はその平面図であり、図８はその背面図である。図５、図６および図８において、該駆動装置３が揺動した状態を仮想線で示す。
【００２２】
座部２が取付けられる台座４は、左右を一対とする連結リンク５を介して可動架台６に前後に揺動可能に支持され、可動架台６はベース８に左右に揺動可能に支持されているとともに、台座４と可動架台６との間には駆動部１３が収納されている。
【００２３】
前記連結リンク５は、前リンク５ａと、後リンク５ｂとから成る。前リンク５ａの上端部は、台座４の前端部に設けた上軸ピン４ａに嵌合され、前リンク５ａの下端部は可動架台６の側板１６の前端部に設けた下軸ピン７ａに嵌合されている。また、後リンク５ｂの上端部は台座４の後端部に設けた上軸ピン４ｂに嵌合され、後リンク５ｂの下端部は可動架台６の側板１６の後端部に設けた下軸ピン７ｂに嵌合されている。
【００２４】
前後の各下軸ピン７ａ，７ｂは、連結リンク５を左右方向Ｙの軸線回りに回動可能に支持する左右軸７を構成しており、これによって、台座４は左右軸７回りに図２の矢印Ｍで示す前後方向に往復回転移動可能となっている。
【００２５】
前記ベース８の前後方向Ｘの両端部には、図６および図８に示すように、軸支板２４がそれぞれ上向きに設けられている。可動架台６の前後方向Ｘの両端部には前記軸支板２４と対向する連結板２５がそれぞれ下向きに設けられ、軸支板２４に対して連結板２５が前後軸９によって回動可能に連結されている。
【００２６】
前後軸９はベース８の中央部の前後２箇所に配置されて可動架台６を前後軸９回りに回動可能に支持するものであり、これによって台座４は前後軸９回りに図４の矢印Ｎで示す左右方向に回転往復移動可能となっている。
【００２７】
一方、駆動部１３は、単体のモータ１０を備えている。また、モータ１０の出力回転軸１２の回転力を台座４の前後方向Ｘの往復直進移動、左右軸７回りの回転往復移動、前後軸９回りの回転往復移動にそれぞれ変換して、これら３動作を組合わせて座部２を駆動可能とする２つの駆動部１３ａ，１３ｂを備えている。本例のモータ１０はベース８上に縦据え置きされ、出力回転軸１２の突出方向は上向きとされる。
【００２８】
第１駆動部１３ａは、前後方向Ｘの往復直進移動および左右軸７回りの回転往復移動用であり、第２駆動部１３ｂは、前後軸９回りの回転往復移動用である。
【００２９】
第１駆動部１３ａは、図６および図７で示すように、出力回転軸１２にモータギア１１および第１ギア１４を介して連結される第１シャフト１７を備えている。また、第１シャフト１７の一端部に偏心して連結される偏心クランク１９と、一端部が偏心クランク１９に連結され、他端部が前リンク５ａに設けた軸ピン５ｃに嵌合されるアームリンク２０とを備えている。
【００３０】
第１シャフト１７の両端部は台座４側にそれぞれ回動可能に支持されており、偏心クランク１９が第１シャフト１７に対して偏心円運動を行う。これによってアームリンク２０を介して前リンク５ａが前後方向Ｘに往復移動し、連結リンク５に連結されている台座４、すなわち座部２が図５および図６の矢印Ｍで示す方向に揺動可能となっている。
【００３１】
また、第２駆動部１３ｂは、図７および図８で示すように、第１シャフト１７の連動ギア２２と第２ギア１５を介して連結された第２シャフト１８を備えている。また、一端部が第２シャフト１８の一端部に偏心して連結され、他端部がベース８に回動可能に連結される偏心ロッド２１を備えている。第２シャフト１８の両端部は台座４側に回動可能に支持されている。
【００３２】
偏心ロッド２１は、台座４の左側或いは右側のいずれか一方に配置され（図７および図８では右側）、偏心ロッド２１の上端部２１ａが図４に示す軸ピン２９により第２シャフト１８の一端部に対して偏心して連結されている。偏心ロッド２１の下端部２１ｂはベース８に固定したＬ形連結金具２７に対して軸ピン２８により回動可能に連結されている。したがって、第２シャフト１８の回転によって、偏心ロッド２１の上端部が偏心円運動を行うことで、台座４、すなわち座部２が図８の矢印Ｎで示すように、前後軸９回りの回転往復移動可能となっている。
【００３３】
前記構成において、モータ１０の出力回転軸１２が回転すると、モータギア１１と第１ギア１４との噛み合いによって第１シャフト１７が回転すると同時に、第１シャフト１７の連動ギア２２と第２ギア１５との噛み合いによって第２シャフト１８が回転する。
【００３４】
第１シャフト１７が回転すると、第１シャフト１７の一端部に連結された偏心クランク１９が偏心円運動を行ない、アームリンク２０を介して前リンク５ａが前側の左右軸７ａを中心に前後方向Ｘに回動する。このとき、後リンク５ｂが協働して後側の左右軸７ｂ回りに回動することから、台座４、すなわち座部２は前後方向Ｘに往復移動および揺動する。
【００３５】
また、第２シャフト１８の回転によって、偏心ロッド２１の上端部が偏心円運動を行い、台座４、すなわち座部２は前後軸９回りに回転往復移動する。
【００３６】
このようにして、使用者１００が座部２に着座（騎乗）した状態で、座部２は図９に示す前後方向Ｘ、左右方向Ｙ、上下方向Ｚへの運動、およびθＸ方向、θＹ方向、θＺ方向の揺動を行うことから、身体のバランス機能や運動機能を訓練することができる。
【００３７】
前記揺動型運動装置１には、図１に示したように、座部２に着座した使用者１００が先端部５０ａを左右の手でそれぞれ握り可能な弾性バンド５０が左右位置に設けられ、この弾性バンド５０の基端部５０ｂは、座部２の係止部５５（弾性バンド５０の揺動支点）で係止されている。
【００３８】
弾性バンド５０は、図２および図３に詳細に示すように、伸縮可能なゴム素材やプラスチック素材で構成されている。弾性バンド５０の基端部５０ｂは、肉厚を厚くしたリング状に形成されて、中心部に係止穴５０ｃが開けられている。
【００３９】
弾性バンド５０の先端５０ｄは、基端部５０ｂの方向へＵ字状に折り返されて、基端部５０ｂの手前で、長さ調整用のアジャスター（ベルト止め）５１に差し込まれることで、抜けはずれないように保持されている。なお、アジャスター５１は、カバン等のショルダーベルトに使用されている。
【００４０】
弾性バンド５０の先端部５０ａには、柔軟性を有するグリップ５２が移動可能に嵌め込まれている。
【００４１】
アジャスター５１は、弾性バンド５０の先端５０ｄを保持する機能の他に、図３（ａ）のように、基端部５０ｂ側にずらせると、弾性バンド５０の全長Ｌ１を短く調整するとともに、図３（ｂ）のように、先端部５０ａ側にずらせると、弾性バンド５０の全長Ｌ２を長く調整することができる機能を有する。
【００４２】
係止部５５は、図４に詳細に示すように、座部２内の側面に位置する座部基台５６の貫通穴５６ａに、内方から外方に向けてボルト５７が挿通されている。座部基台５６の外面には、ボルト５７が挿通する椀状プレート５８が宛われている。
【００４３】
この椀状プレート５８内に、座部２の外方から摘み状ナット５９を嵌め込みながら、ボルト５７にねじ込むことにより、椀状プレート５８は、座部基台５６と摘み状ナット５９との間に挟み込まれて保持されるようになる。同時に、摘み状ナット５９もボルト５７で保持されて、座部２から側方に突出するようになる。なお、椀状プレート５８を座部２のトリム２ａよりも僅かに外方に突出させているのは（符号ｔ参照）、弾性バンド５０が座部２のトリム２ａを擦らないようにするためである。
【００４４】
摘み状ナット５９には、弾性バンド５０の基端部５０ｂの係止穴５０ｃを直径方向に延ばして広げながら嵌め込むことで、係止部５５で回動可能に係止されるようになる。
【００４５】
係止部５５は、座部２の左右の側面にそれぞれ設けられ、弾性バンド５０は、座部２の左右に設けられるようになる。
【００４６】
この係止部５５は、座部２の左右の側面で、図１に示したように、着座した使用者１００の大腿部１０１よりも後側に位置させている。具体的には、着座した使用者１００の大腿部１０１のあおり部よりも後側に位置させている。なお、「あおり」とは、使用者１００が股で挟む座部２の部分である。加えて、係止部５５は、着座した使用者１００の重心Ｇを通る垂線の近傍に位置させている。
【００４７】
このような弾性バンド５０を設けた揺動型運動装置１では、使用者１００が座部２の前後左右の揺動に応じて、バランスを保つように下半身を動かす。それと同時に、先端部５０ａのグリップ５２を手で握った弾性バンド５０を引っ張りながら上半身も動かすようになるから、上半身の筋肉も鍛えることができるようになる。
【００４８】
前記弾性バンド５０は、不使用時に、脚部３０等の上に単に放置しておくと、弾性バンド５０を使用しない運動を揺動型運動装置１でする時に、足を引っかける等して邪魔になる。また、揺動型運動装置１を別の場所に搬送する時に、脚部３０等の上から落下する等して邪魔になる。
【００４９】
そこで、不使用時の弾性バンド５０が邪魔にならないようにしたいという要望がある。
【００５０】
そのために、図１０に示す第１実施形態のように、座部２の前部と後部には、搬送時の持ち手部６５がそれぞれ形成されている。この持ち手部６５は、図１０（ｂ）のように、合成樹脂等で箱状に形成されて、指先を差し込み可能な開口６５ａが形成されている。
【００５１】
この持ち手部６５の開口６５ａ側の左右位置に、内向き方向に屈曲した突起状の留め部（フック）６５ｂを一体形成している。なお、留め部６５ｂは、座部２の前部と後部の持ち手部６５の一方に形成してあっても良い。
【００５２】
そして、図１０（ａ）のように、例えば、右側の弾性バンド５０は、図３（ａ）のように、アジャスター５１を基端部５０ｂ側にずらせることで、弾性バンド５０の全長Ｌ１を短く調整する。また、グリップ５２を弾性バンド５０の先端部５０ａから側方に移動させる。
【００５３】
その後、弾性バンド５０に弛まない程度の張力（テンション）を与えるために引っ張った状態で、弾性バンド５０の先端部５０ａを座部２の前部の持ち手部６５の右側の留め部６５ｂに掛け止める。
【００５４】
同様に、図示しないが、左側の弾性バンド５０の先端部５０ａは、持ち手部６５の左側の留め部６５ｂに掛け止める。なお、座部２の後部の持ち手部６５に留め部６５ｂを形成している場合には、この後部の持ち手部６５の留め部６５ｂに弾性バンド５０を掛け止めることも可能である。
【００５５】
第１実施形態であれば、不使用時には、揺動型運動装置１の座部２に基端部５０ｂを係止した弾性バンド５０の先端部５０ａを、弾性バンド５０が弛まない程度の張力を与えた状態で、座部２の持ち手部６５の留め部６５ｂに掛け止めることができる。
【００５６】
したがって、弾性バンド５０を使用しない運動を揺動型運動装置１でする時に、足を引っかける等することが無くなる。また、揺動型運動装置１を別の場所に搬送する時に、落下する等することが無くなる。このように、不使用時の弾性バンド５０が邪魔にならなくなる。
【００５７】
図１１は、第２実施形態であり、弾性バンド５０の基端部５０ｂが脚部３０の係止部３０ａで係止されている揺動型運動装置１である。
【００５８】
そして、第１実施形態と同様に、弾性バンド５０の全長Ｌ１を短く調整し、グリップ５２を弾性バンド５０の先端部５０ａから側方に移動させる。
【００５９】
その後、弾性バンド５０に弛まない程度の張力（テンション）を与えるために引っ張った状態で、左側の弾性バンド５０の先端部５０ａを座部２の前部の持ち手部６５の左側の留め部６５ｂに掛け止める。
【００６０】
同様にして、図示しないが、右側の弾性バンド５０の先端部５０ａは、持ち手部６５の右側の留め部６５ｂに掛け止める。
【００６１】
第２実施形態であれば、不使用時には、揺動型運動装置１の座部２に基端部５０ｂを係止した弾性バンド５０の先端部５０ａを、弾性バンド５０が弛まない程度の張力を与えた状態で、座部２の持ち手部６５の留め部６５ｂに掛け止めることができる。
【００６２】
したがって、弾性バンド５０を使用しない運動を揺動型運動装置１でする時に、足を引っかける等することが無くなる。また、揺動型運動装置１を別の場所に搬送する時に、落下する等することが無くなる。このように、不使用時の弾性バンド５０が邪魔にならなくなる。
【００６３】
また、図１２に左側の弾性バンド５０のみを示すように、座部２に持ち手部６５が無いタイプでは、同様に、弾性バンド５０の全長Ｌ１を短く調整し、グリップ５２を弾性バンド５０の先端部５０ａから側方に移動させる。その後、弾性バンド５０に弛まない程度の張力（テンション）を与えるために引っ張った状態で、弾性バンド５０の先端部５０ａを脚部３０の右側の係止部３０ａに掛け止めることができる。同様にして、図示しないが、右側の弾性バンド５０の先端部５０ａは、脚部３０の左側の係止部３０ａに掛け止めることができる。図１２では、左右の係止部３０ａを留め部として兼用したものであるが、脚部３０に留め部を別に設けることも可能である。
【００６４】
図１３は、第３実施形態であり、脚部６１に上に設置したターンテーブル６２に使用者１００が乗って、上半身と下半身をひねるように運動する運動装置である。そして、弾性バンド５０は、基端部５０ｂを脚部６１の係止部６１ａで係止して、グリップ５２を手で握るものである。
【００６５】
そして、図１２の第２実施形態と同様に、弾性バンド５０の全長Ｌ１を短く調整し、グリップ５２を弾性バンド５０の先端部５０ａから側方に移動させる、その後、弾性バンド５０に弛まない程度の張力（テンション）を与えるために引っ張った状態で、弾性バンド５０の先端部５０ａを脚部６１の右側の係止部６１ａに掛け止めることができる。同様にして、図示しないが、右側の弾性バンド５０の先端部５０ａは、脚部６１の左側の係止部６１ａに掛け止めることができる。図１３では、左右の係止部６１ａを留め部として兼用したものであるが、脚部６１に留め部を別に設けることも可能である。
【図面の簡単な説明】
【００６６】
【図１】本発明に係る揺動型運動装置であり、（ａ）は使用者が着座した側面図、（ｂ）は斜視図である。
【図２】弾性バンドであり、（ａ）は側面図、（ｂ）は平面断面図である。
【図３】弾性バンドであり、（ａ）は全長を短く調整した平面図、（ｂ）は全長を長く調整した平面図である。
【図４】係止部の断面図である。
【図５】本発明に係る揺動型運動装置の全体構成を示す側面図である。
【図６】図５の駆動装置を拡大して示す側面図である。
【図７】図６の平面図である。
【図８】図６の背面図である。
【図９】座部の動きを説明するための図である。
【図１０】第１実施形態の弾性バンドの収納構造であり、（ａ）は収納時の座部の斜視図、（ｂ）は持ち手部の斜視図である。
【図１１】第２実施形態の弾性バンドの収納構造であり、（ａ）は使用時の揺動型運動装置の側面図、（ｂ）は収納時の揺動型運動装置の側面図である。
【図１２】第２実施形態の変形例の収納時の揺動型運動装置の斜視図である。
【図１３】第３実施形態の弾性バンドの収納構造であり、（ａ）は使用時の運動装置の側面図、（ｂ）は収納時の運動装置の側面図である。
【符号の説明】
【００６７】
１      揺動型運動装置
２      座部
３      駆動装置（駆動部）
３０    脚部
３０ａ  係止部（留め部）
５０    弾性バンド
５０ａ  先端部
５０ｂ  基端部
５２    グリップ
５５    係止部
６１    脚部
６１ａ  係止部
６５    持ち手部
６５ａ  開口
６５ｂ  留め部
１００  使用者
【図１】
2009247450.tif 000003
【図２】
2009247450.tif 000004
【図３】
2009247450.tif 000005
【図４】
2009247450.tif 000006
【図５】
2009247450.tif 000007
【図６】
2009247450.tif 000008
【図７】
2009247450.tif 000009
【図８】
2009247450.tif 000010
【図９】
2009247450.tif 000011
【図１０】
2009247450.tif 000012
【図１１】
2009247450.tif 000013
【図１２】
2009247450.tif 000014
【図１３】
2009247450.tif 000015